(57)【要約】【課題】  簡単な構成でありながら、密閉効果に優れ、メンテナンスも容易な密閉ドア及び密閉ドア用の枠体を提供する。【解決手段】  密閉ドア４の側縁部を囲繞する天板と沓摺及び左側板と右側板からなり前記沓摺２４に床面から露出して密閉ドアの密閉部材と接触するガイド部２４ａを構成した密閉ドア用の枠体２と、ドア４の下端内部に構成したレール６と前記レール６に着脱自在に装着可能な弾性体よりなる密閉部材３を設けドアの閉時に前記密閉部材の下端が床面に設けた沓摺２４の表面に接触する密閉ドア。【選択図】図３
2014156751.tif 000002
【特許請求の範囲】
【請求項１】
密閉ドアの側縁部を囲繞する天板と沓摺及び左側板と右側板からなり、前記沓摺を床面に固定して立設する密閉ドア用の枠体であり、前記左側板あるいは右側板に密閉ドアを取り付けるための支持部を構成し、前記沓摺に床面から露出して密閉ドアの密閉部材と接触するガイド部を構成したことを特徴とする密閉ドア用の枠体。
【請求項２】
前記ガイド部が、軸方向に見て湾曲形状であることを特徴とする請求項１記載の密閉ドア用の枠体。
【請求項３】
前記ガイド部が、軸方向に見て台形状であることを特徴とする請求項１記載の密閉ドア用の枠体。
【請求項４】
前記ガイド部が、軸方向に見て三角形状であることを特徴とする請求項１記載の密閉ドア用の枠体。
【請求項５】
前記ガイド部が、軸方向に見て室内側から室外側に下降する傾斜形状であることを特徴とする請求項１記載の密閉ドア用の枠体。
【請求項６】
ドアの下端内部に構成したレールと、前記レールに着脱自在に装着可能な弾性体よりなる密閉部材を設け、ドアの閉時に前記密閉部材の下端が床面に設けた沓摺の表面に接触することを特徴とする密閉ドア。
【請求項７】
前記密閉部材を、ドアの幅と略同一の長さの板状の基部と、この基部の長手方向の下端全長にわたって垂設した２個の密閉片によって構成したことを特徴とする請求項６記載の密閉ドア。
【発明の詳細な説明】
【技術分野】
【０００１】
本発明は、家庭、事務室、ホテル等に使用される密閉ドアと密閉ドア用の枠体に関する。
【背景技術】
【０００２】
ドアの閉時に、ドアの下端と床面の間に生じる間隙を密閉する床面密着装置に関して、従来より種々の構造が提案されている。例えば特許文献１にはドアの下端に逆Ｕ状の凹部を形成し、そのハウジング内に収容したプランジャー（下降部材）をドアの閉止時に床面に密着させる構造のドアの床面自動密着装置が提案されている。
【先行技術文献】
【特許文献】
【０００３】
【特許文献１】特開平１１−３５０８５１号公報
【０００４】
この特許文献１記載の発明は、その特許請求の範囲より、ドア下枠底面に埋設固定された逆Ｕ状ハウジング内にプランジャが収容されると共に前記プランジャの中間上部が前記ハウジング内の案内溝に両端を支持された板バネによって懸吊されてなる床面自動密着装置において、前記板バネの元側が前記案内溝内において滑動するスライドプラグに固着されると共に先側が連結プラグに接続されてなり、前記連結プラグは前記案内溝内に固設した固定プラグに対して元側から引張力が加えられたときに切り離し自在に合着されたドアの床面自動密着装置である。
【発明の概要】
【発明が解決しようとする課題】
【０００５】
前記特許文献１記載の発明は、ドア底面に固定した床面自動密着装置内のプランジャ(下降部材)の交換取外作業を容易にするものであるが、装置の構造が複雑であり、ドアへの取り付け作業が大がかりになり、交換も容易に行えないという問題点があった。
本発明は、上記の従来例の問題点を解決したもので、簡単な構成でありながら、密閉効果に優れ、メンテナンスも容易な密閉ドアと密閉ドア用の枠体を提供することを目的とする。
【課題を解決するための手段】
【０００６】
請求項１に記載の発明は、密閉ドアの側縁部を囲繞する天板と沓摺及び左側板と右側板からなり、前記沓摺を床面に固定して立設する密閉ドア用の枠体であり、前記左側板あるいは右側板に密閉ドアを取り付けるための支持部を構成し、前記沓摺に床面から露出して密閉ドアの密閉部材と接触するガイド部を構成した密閉ドア用の枠体である。
【０００７】
請求項２に記載の発明は、前記ガイド部が、軸方向に見て湾曲形状である密閉ドア用の枠体である。
【０００８】
請求項３に記載の発明は、前記ガイド部が、軸方向に見て台形状である密閉ドア用の枠体である。
【０００９】
請求項４に記載の発明は、前記ガイド部が、軸方向に見て三角形状である密閉ドア用の枠体である。
【００１０】
請求項５に記載の発明は、前記ガイド部が、軸方向に見て室内側から室外側に下降する傾斜形状である密閉ドア用の枠体である。
【００１１】
請求項６に記載の発明は、ドアの下端内部に構成したレールと、前記レールに着脱自在に装着可能な弾性体よりなる密閉部材を設け、ドアの閉時に前記密閉部材の下端が床面に設けた沓摺の表面に接触する密閉ドアである。
【００１２】
請求項７に記載の発明は、前記密閉部材を、ドアの幅と略同一の長さの板状の基部と、この基部の長手方向の下端全長にわたって垂設した２個の密閉片によって構成した密閉ドアである。
【発明の効果】
【００１３】
請求項１記載の密閉ドア用の枠体によれば、密閉ドアの四周の側縁部を囲繞するように配置してドアを回動自在に支持すると共に、床面から露出している沓摺のガイド部が密閉ドアの密閉部材と接触することで、密閉ドアの閉時に室内の気密性を保持することができる。
【００１４】
請求項２記載の密閉ドア用の枠体によれば、前記沓摺のガイド部が軸方向に見て湾曲形状であるため密閉部材が効率よく接触し、常に密閉状態が保たれるため室内の気密性に優れる。さらに床面との間に段差が生じないバリヤフリー対応であるため、高齢者や身体障害者等の出入りを安全にする等の効果を奏する。  
【００１５】
請求項３記載の密閉ドア用の枠体によれば、前記ガイド部が軸方向に見て台形状であるから、製作が容易であると共にバリヤフリー効果も奏する。
【００１６】
請求項４記載の密閉ドア用の枠体によれば、前記ガイド部が軸方向に見て三角形状であるから、製作が容易で強度に優れ中央部分に力が加わっても変形が少ないと共にバリヤフリー効果も奏する。
【００１７】
請求項５記載の密閉ドア用の枠体によれば、軸方向に見て室内側から室外側に下降する傾斜形状であるから、バリヤフリー効果を有すると共に室内の床面が室外より高くなっている場合に有効である。
【００１８】
請求項６記載の密着ドアによれば、ドアの下端内部に構成したレールに、弾性体よりなる密閉部材をスライドして着脱自在に取り付けることができ、ドアの閉時に密閉部材の下端と沓摺の表面とが接触することでドアと床面を密閉するため、密閉効果に優れ室内の気密性を高めると共に、簡単な構成であり故障が少なく、密閉部材の補修や交換等のメンテナンスも容易、迅速に行える等の効果を奏する。
【００１９】
請求項７記載の密着ドアによれば、前記密閉部材をドアの幅と略同一の長さの板状の基部と、この基部の下端に垂設した２個の密閉片によって構成したから密閉片の下部が沓摺の表面に確実に接触して密閉効果を高めることができる。
【図面の簡単な説明】
【００２０】
【図１】本発明の実施形態１の密閉ドアの一部切欠き正面図
【図２】本発明の実施形態１の密閉ドア用の枠体の一部切欠き正面図
【図３】本発明の実施形態１の密閉ドアを密閉ドア用の枠体に装着した状態の一部切欠き正面図
【図４】本発明の実施形態１の密閉ドアを密閉ドア用の枠体に装着した状態の一部切欠き断面側面図
【図５】本発明の実施形態１の密閉ドアの開時の拡大側面断面図
【図６】本発明の実施形態１の密閉ドアの閉時の拡大側面断面図
【図７】密閉部材の実施例１の拡大側面断面図
【図８】密閉部材の実施例１の密閉ドアへの装着状態を示す模式図
【図９】密閉部材の実施例１の密閉ドアへの装着状態を示す拡大側面断面図
【図１０】密閉部材の実施例２の拡大側面断面図
【図１１】密閉部材の実施例３の拡大側面断面図
【図１２】密閉部材の実施例４の拡大側面断面図
【図１３】沓摺の実施例２の拡大側面断面図
【図１４】沓摺の実施例３の拡大側面断面図
【図１５】沓摺の実施例４の拡大側面断面図
【発明を実施するための形態】
【００２１】
図１乃至図９に本発明の実施形態１を示す。
密閉ドアとは、ドア下端に設けた密閉部材を沓摺に接触させ必要に応じ変形させることで沓摺との密着状態を保ち室内の気密状態を保つものをいう。
本実施形態の密閉ドアは、開き戸タイプのドア４の下端内部に、ドア４の幅４Ｄ全長にわたって下骨部材５を固定し、この下骨部材５に下骨部材５と同じ長さのレール６を取り付け、このレール６内に密閉部材３を着脱自在に取り付けたものである。ドア４の右側板には、ドアの枠体へ取り付けるための支持部である蝶番４９，４９を構成してある。
【００２２】
図１、図７、図８等に示すように、前記密閉部材の実施例１は、ドア４の幅４Ｄと同一長さの薄い板状の基部３１の下面に、基部３１の長手方向の全長にわたって密閉片３２を２個垂設したものである。
この密閉片３２は長い板状であり、その固定部の幅３２Ｄが下方に向かって徐々に狭くなり、側面断面視逆三角形状を呈している。この密閉部材３の材質は、各実施例では気密ゴムを用いたが、これに限定されず他の弾性体でもよい。  
【００２３】
ドア４の下端内部には、断面コ字状の下骨部材５が側板５ｂ，５ｂをドア４の内側に固定して、ドア４の幅４Ｄ全長にわたって取り付けられている。この下骨部材５は、ドア４を補強すると共にレール６を固定するものである。
【００２４】
前記レール６は、固定板６ａの両側から下部にＬ字状の支持部６ｂ，６ｂを対面させて設けた断面略Ｃ字状であり、固定板６ａを前記下骨部材５の上板５ａ下面に固定してある。
レール６は、前記密閉部材３をスライドさせて着脱自在に取り付けるもので、下骨部材５の全長にわたって取り付けられている。
【００２５】
前記密閉部材３の取り付けは、前記レール６の固定板６ａと支持部６ｂ，６ｂに囲まれた空間６ｃに、密閉部材３の基部３１をスライドして装着していく（図８参照）。このとき、密閉部材３はドア４の側面板４１の下端に設けた開口部４２を通ってレール６内をスライドしていく。
【００２６】
前記開口部４２は、密閉部材３が通過できる形状と大きさであり、全体の高さ４２ａは密閉部材３の高さ３ａよりわずかに低い。そのため密閉部材３をレール６内に装着完了した時には、図９に示すように基部３１の端面は側面板４１の開口部４２の上方内面に当接するためレール６内に確実に支持されるのである。
【００２７】
このため密閉部材３はドア４の振動等によって移動することはなくレール６内に安定して支持され、かつ密閉片３２は基部３１に垂設されている状態を保っているから、後述のように沓摺のガイド部に対して接触した場合に必要に応じて自由に変形することができるのである。
【００２８】
一方、図２に示すように本実施形態におけるドアの枠体２は、ドア４の四周の側縁部を囲繞するように配置されるもので、右側板２１、天板２２、左側板２３及び沓摺２４を長方形状に構成してなる。
このうち、右側板２１には、ドア４を取り付けるための支持部である蝶番２９，２９を構成してあり、この蝶番２９，２９を前記ドア４の蝶番４９，４９と係合してドア４を回動自在に取り付けるのである（図３参照）。
【００２９】
図６に示すように沓摺２４の実施例１は、ガイド部２４ａが軸方向に見て湾曲形状である。すなわち表面板であるガイド部２４ａは長手方向の両側端２４ｂ，２４ｂからゆるやかな湾曲面を形成しながら床面１から露出し、中央部分の最も高い部分に接触部２４ｃを形成している。この形状は沓摺２４をバリヤフリー対応にするためである。
【００３０】
上記のように構成した本実施形態の作用を説明する。
図５に示すようにドア４の開時には密閉片３２の先端と床面１とは接触していないが、図６に示すようにドア４の閉時には密閉片３２，３２の先端が沓摺２４のガイド部２４ａの接触部２４ｃ付近で接触する。
このとき、密閉片３２は固定部が基部３１に固定されていて先端が細くなっているため柔軟であり、ガイド部２４ａに接触するとガイド部２４ａの形状に沿って変形するため常に密着状態が保たれると共に、ドア４の開閉動作を妨げることはなく、ドア４は常にスムーズに開閉することができる。
【００３１】
このようにドア４の閉時には、密閉片３２によってドア４の下端と沓摺２４の間に間隙がなくなるから、室内と外部が遮断されて室内の気密性が高くなり、外部から空気やほこりが室内に侵入することが防げると共に、遮音性も高くなり外部の騒音が遮断されるのである。
【００３２】
また、沓摺２４がバリヤフリー対応であるため床面１との間に段差が生ぜず、高齢者や身体障害者等の出入りを安全にする。また、食事の配給や医療器具の運搬用等の台車の出入りが容易に行え、食事の崩れや医療器具の損傷などが防止される。さらには、清掃の際、室内のほこりやカーペットの糸くず等を廊下に掃き出しやすいという効果もある。
また、前記密閉部材３を気密ゴムで製造してあるため、ホテルなどでドア４の下部から新聞や郵便物を投入することができる。
【００３３】
密閉部材３を交換するときには、レール６に取り付けてある密閉部材３を戸先側の側面板４１の開口部４２から抜き出して、新しい密閉部材３を装着すればよい。
このとき密着部材３は、レール６内をスライドさせて着脱することができるため特に専門的な技術や知識は必要とせず、取り換え作業は通常の人でも簡易、迅速かつ確実に行えるのである。そのため密閉機能の維持と密閉部材の交換の利便性が実現されメンテナンスに優れている。
【００３４】
本実施形態の密閉ドア４と密閉ドア用の枠体２の組み合わせは、室内の間仕切りドア全般に適応できる。それ以外にも、例えばホテルの客室ドア、マンションのドア、病室の出入り口、トイレの出入り口、事務所の出入り口、学校等年少者対象施設の出入り口、公共施設の間仕切りドア等に適応できる。
【００３５】
また、沓摺がドアの枠体と分離して独立して床面に設けられている場合には、前記密閉ドアは本実施形態の密閉ドア用の枠体２に装着せずに、沓摺のない枠体を用いるなどして取り付ければよい。
【００３６】
密閉部材の実施例２を図１０に基づき説明する。
この実施例の密閉部材７の基部７１は前記実施例１の基部３１と同様の形状であるが、密閉片７２は前記密閉片３２と同様の形状で１個構成されている。そのため構成が簡単で製作費用も安価であるというメリットがある。その他の作用、効果は前述の実施例１の密閉部材３と同様であるため説明を省略する。
【００３７】
密閉部材の実施例３を図１１に基づき説明する。
この実施例の密閉部材８は基部８１の下部に係合部材８２を一体に構成してあり、この係合部材８２の内部に係合孔８３を設けてある。
また、密閉片８４は、前記実施例２の密閉片７２と同様の形状であるが、上端に円弧状の係止部８５を構成してある点で異なる。この係止部８５を前記係合孔８３にスライドさせることで密閉片８４を係合部材８２に嵌合して取り付ける。交換時には密閉片８４だけを交換することもでき、あるいは密閉部材８全体を交換することもできる。
本実施例によれば、密閉片８４だけを交換すれば基部８１は再度使用可能であるから、メンテナンスの費用が安価となるというメリットがある。その他の作用、効果は、前述の実施例１の密閉部材３と同様であるため説明を省略する。
【００３８】
密閉部材の実施例４を図１２に基づき説明する。
この実施例の密閉部材９は、基部９１の下部に設けた密閉片９２はＵ字状で下端が円弧状であり内部に空間９３が形成されている。前記基部９１をレール６にスライドさせて取り付ける。
この密閉部材９は、前記空間９３の作用により密閉片９２の下端が沓摺のガイド部の形状に対して柔軟に対応できるから密着性に優れる。さらに、密閉片９２の下端が円弧状であるため、沓摺の表面との接触面積が大きく密閉や遮音機能にすぐれている。その他の作用、効果は、前述の実施例１の密閉部材３と同様であるため説明を省略する。
【００３９】
沓摺の実施例２を図１３に基づき説明する。
この実施例の沓摺２５は表面が床面１より露出しているが、表面板２５ａは平坦であり、長手方向の両側にわたって傾斜面２５ｂ，２５ｂを構成してあり、軸方向に見て台形状を呈している。この沓摺２５は製作が容易であるという特長があり、その他の作用、効果は前述の実施例１の沓摺２４と同様であるため、説明を省略する。
【００４０】
沓摺の実施例３を図１４に基づき説明する。
この実施例の沓摺２６は、ガイド部２６ａの中央が高く接触部２６ｃを構成し、両側が傾斜面２６ｂ，２６ｂを構成していて、軸方向に見て三角形状を呈している。この沓摺２６は製作が容易で強度に優れるという特長があり、その他の作用、効果は前述の実施例１の沓摺２４と同様であるため、説明を省略する。
【００４１】
沓摺の実施例４を図１５に基づき説明する。
この実施例の沓摺２７は、室内側１０１が高く室外側１００が低くなるように傾斜したガイド部２７ａを形成している。すなわちガイド部２７ａは室内側の床面１０１ａの側端２７ｄから室外側の床面１００ａの側端２７ｂに向かって下降し、中央部分が密閉片３２の接触部２７ｃとなっている。この沓摺２７は室内の床面が室外より高くなっている場合に適応でき、その他の作用、効果は前述の実施例１の沓摺２４と同様であるため、説明を省略する。
【符号の説明】
【００４２】
１  床面        
２  密閉ドア用の枠体
３  密閉部材    
４  ドア（密閉ドア）
５  下骨部材
６  レール
７  密閉部材
８  密閉部材
９  密閉部材
２１  右側板  
２２  天板  
２３  左側板
２４  沓摺  
２５  沓摺  
２６  沓摺
２７  沓摺
２４ａ  ガイド部
２５ａ  ガイド部
２６ａ  ガイド部
２７ａ  ガイド部
２９  蝶番（支持部）
４９  蝶番（支持部）
３１  基部
３２  密閉片
【図１】
2014156751.tif 000003
【図２】
2014156751.tif 000004
【図３】
2014156751.tif 000005
【図４】
2014156751.tif 000006
【図５】
2014156751.tif 000007
【図６】
2014156751.tif 000008
【図７】
2014156751.tif 000009
【図８】
2014156751.tif 000010
【図９】
2014156751.tif 000011
【図１０】
2014156751.tif 000012
【図１１】
2014156751.tif 000013
【図１２】
2014156751.tif 000014
【図１３】
2014156751.tif 000015
【図１４】
2014156751.tif 000016
【図１５】
2014156751.tif 000017
【手続補正書】
【提出日】平成25年2月19日(2013.2.19)
【手続補正２】
【補正対象書類名】明細書
【補正対象項目名】００１８
【補正方法】変更
【補正の内容】
【００１８】
請求項６記載の密閉ドアによれば、ドアの下端内部に構成したレールに、弾性体よりなる密閉部材をスライドして着脱自在に取り付けることができ、ドアの閉時に密閉部材の下端と沓摺の表面とが接触することでドアと床面を密閉するため、密閉効果に優れ室内の気密性を高めると共に、簡単な構成であり故障が少なく、密閉部材の補修や交換等のメンテナンスも容易、迅速に行える等の効果を奏する。
【手続補正３】
【補正対象書類名】明細書
【補正対象項目名】００１９
【補正方法】変更
【補正の内容】
【００１９】
請求項７記載の密閉ドアによれば、前記密閉部材をドアの幅と略同一の長さの板状の基部と、この基部の下端に垂設した２個の密閉片によって構成したから密閉片の下部が沓摺の表面に確実に接触して密閉効果を高めることができる。
【手続補正４】
【補正対象書類名】明細書
【補正対象項目名】００３３
【補正方法】変更
【補正の内容】
【００３３】
密閉部材３を交換するときには、レール６に取り付けてある密閉部材３を戸先側の側面板４１の開口部４２から抜き出して、新しい密閉部材３を装着すればよい。
このとき密閉部材３は、レール６内をスライドさせて着脱することができるため特に専門的な技術や知識は必要とせず、取り換え作業は通常の人でも簡易、迅速かつ確実に行えるのである。そのため密閉機能の維持と密閉部材の交換の利便性が実現されメンテナンスに優れている。